(57)【特許請求の範囲】
【請求項１】
吸込口及び吹出口を開口する筐体と、前記吸込口と前記吹出口とを連結する空気通路と、前記空気通路内に配される送風機と、前記吸込口に面して配されるフィルタと、前記フィルタを清掃する清掃装置とを備えた空気清浄機において、
前記清掃装置がシート状の前記フィルタが巻回された供給ロールと、前記フィルタを巻き取る巻取ロールと、前記巻取ロールを回転駆動する駆動モータと、前記駆動モータに連結して前記巻取ロールの回転時に回転するとともに前記巻取ロール上の前記フィルタに摺動するブラシ体とを有し、
前記筐体が前記送風機を配した本体部と、前記本体部に対して着脱可能に配されるとともに前記吸込口を開口したカバー部とを有し、前記駆動モータが前記本体部に配されるとともに前記供給ロール及び前記巻取ロールが前記カバー部に配されることを特徴とする空気清浄機。
【請求項２】
前記巻取ロールの回転方向と前記ブラシ体の回転方向とが同方向であることを特徴とする請求項１に記載の空気清浄機。
【請求項３】
前記ブラシ体が前記筐体に支持されるシャフトの周面にブラシ毛束を螺旋状に所定間隔で植設され、前記ブラシ体の周速が前記巻取ロールの周速よりも大きいことを特徴とする請求項２に記載の空気清浄機。
【請求項４】
前記駆動モータの回転軸に嵌合する嵌合孔を有した第１交差軸歯車と、前記第１交差軸歯車に噛合する第２交差軸歯車と、前記第２交差軸歯車と一体に回転して前記巻取ロールに連結される第１平行軸歯車と、前記第１平行軸歯車に噛合して前記ブラシ体に連結される第２平行軸歯車とを備えることを特徴とする請求項１〜請求項３のいずれかに記載の空気清浄機。
【請求項５】
前記ブラシ体と前記第２平行軸歯車との間に、前記第２平行軸歯車と一体に設けられる内歯車と、前記内歯車に噛合する第３平行軸歯車とを設け、前記ブラシ体の回転軸が前記第１平行軸歯車の回転軸と前記第２平行軸歯車の回転軸との間に配されることを特徴とする請求項４に記載の空気清浄機。
【請求項６】
吸込口及び吹出口を開口する筐体と、前記吸込口と前記吹出口とを連結する空気通路と、前記空気通路内に配される送風機と、前記吸込口に面して配されるフィルタと、前記フィルタを清掃する清掃装置とを備えた空気清浄機において、
前記清掃装置がシート状の前記フィルタが巻回された供給ロールと、前記フィルタを巻き取る巻取ロールと、前記巻取ロールを回転駆動する駆動モータと、前記駆動モータに連結して前記巻取ロールの回転時に回転するとともに前記巻取ロール上の前記フィルタに摺動するブラシ体とを有し、
前記フィルタが前記清掃装置の停止時に前記吸込口に面して配される通気部と、前記清掃装置の駆動時に前記供給ロールから送り出される収納部とを有し、前記収納部上に前記通気部と区別して前記吸込口から視認可能な図柄を設けたことを特徴とする空気清浄機。
【請求項７】
前記清掃装置の駆動時に前記送風機を停止したことを特徴とする請求項６に記載の空気清浄機。
【発明の詳細な説明】
【技術分野】
【０００１】
本発明は、フィルタを清掃する清掃装置を備えた空気清浄機に関する。
【背景技術】
【０００２】
特許文献１には従来の空気清浄機が開示されている。この空気清浄機は吸込口及び吹出口を開口する筐体を有する。筐体内には吸込口と吹出口とを連結する空気通路が設けられ、空気通路内には送風機が配される。吸込口に面してプレフィルタ（フィルタ）が配される。【０００３】
上記構成の空気清浄機において、運転が開始されると、送風機が駆動されて吸込口から居室内の空気が吸い込まれる。吸込口から吸い込まれた空気はプレフィルタにより塵埃が捕集された後に吹出口から送出される。これにより、居室内の空気清浄を行うことができる。【０００４】
近年、プレフィルタを清掃する清掃装置を備えた空気清浄機の要望が高くなっている。特許文献２には、プロジェクターの吸気口に面して配されるフィルタを清掃する清掃装置が開示されている。この清掃装置は、供給ロール、巻取ロール、ブラシ体、供給ロール用モータ、巻取ロール用モータ、ブラシ体用モータ及び集塵ボックスを備える。【０００５】
供給ロールにはシート状のフィルタが巻回されている。巻取ロールは巻取ロール用モータの駆動により回転し、供給ロールから引き出されたフィルタを巻き取る。ブラシ体は軸体上にブラシ毛を放射状に形成し、巻取ロールの回転時にブラシ体用モータの駆動により回転してブラシ毛がフィルタを擦って塵埃を除去する。集塵ボックスはブラシ体によってフィルタ上から除去された塵埃を集塵する。供給ロールは供給ロール用モータにより回転駆動され、巻取ロールに巻き取られたフィルタを巻き戻す。これにより、フィルタ上の塵埃が除去され、フィルタが清掃される。
【先行技術文献】
【特許文献】
【０００６】
【特許文献１】特開２００９−６６４６６号公報（第８頁、第９頁、第１図）
【特許文献２】特許第５６２７０６６号公報（第６頁、第７頁、第１図、第４図）
【発明の概要】
【発明が解決しようとする課題】
【０００７】
しかしながら、上記特許文献２の清掃装置によれば、巻取ロール用モータとは別途にブラシ体用モータを備えている。このため、清掃装置の部品点数が増加し、該清掃装置を空気清浄機に設けると、空気清浄機の製造コストが増大する問題があった。【０００８】
本発明は、製造コストを削減できる空気清浄機を提供することを目的とする。
【課題を解決するための手段】
【０００９】
上記目的を達成するために本発明は、吸込口及び吹出口を開口する筐体と、前記吸込口と前記吹出口とを連結する空気通路と、前記空気通路内に配される送風機と、前記吸込口に面して配されるフィルタと、前記フィルタを清掃する清掃装置とを備えた空気清浄機において、
前記清掃装置がシート状の前記フィルタが巻回された供給ロールと、前記フィルタを巻き取る巻取ロールと、前記巻取ロールを回転駆動する駆動モータと、前記駆動モータに連結して前記巻取ロールの回転時に回転するとともに前記巻取ロール上の前記フィルタに摺動するブラシ体とを有することを特徴としている。【００１０】
また本発明は、上記構成の空気清浄機において、前記巻取ロールの回転方向と前記ブラシ体の回転方向とが同方向であると好ましい。【００１１】
また本発明は、上記構成の空気清浄機において、前記ブラシ体が前記筐体に支持されるシャフトの周面にブラシ毛束を螺旋状に所定間隔で植設され、前記ブラシ体の周速が前記巻取ロールの周速よりも大きいと好ましい。【００１２】
また本発明は、上記構成の空気清浄機において、前記筐体が前記送風機を配した本体部と、前記本体部に対して着脱可能に配されるとともに前記吸込口を開口したカバー部とを有し、前記駆動モータが前記本体部に配されるとともに前記供給ロール及び前記巻取ロールが前記カバー部に配されると好ましい。【００１３】
また本発明は、上記構成の空気清浄機において、前記駆動モータの回転軸に嵌合する嵌合孔を有した第１交差軸歯車と、前記第１交差軸歯車に噛合する第２交差軸歯車と、前記第２交差軸歯車と一体に回転して前記巻取ロールに連結される第１平行軸歯車と、前記第１平行軸歯車に噛合して前記ブラシ体に連結される第２平行軸歯車とを備えると好ましい。【００１４】
また本発明は、上記構成の空気清浄機において、前記ブラシ体と前記第２平行軸歯車との間に、前記第２平行軸歯車と一体に設けられる内歯車と、前記内歯車に噛合する第３平行軸歯車とを設け、前記ブラシ体の回転軸が前記第１平行軸歯車の回転軸と前記第２平行軸歯車の回転軸との間に配されると好ましい。【００１５】
また本発明は、上記構成の空気清浄機において、前記フィルタが前記清掃装置の停止時に前記吸込口に面して配される通気部と、前記清掃装置の駆動時に前記供給ロールから送り出される収納部とを有し、前記収納部上に前記通気部と区別して前記吸込口から視認可能な図柄を設けると好ましい。【００１６】
また本発明は、上記構成の空気清浄機において、前記清掃装置の駆動時に前記送風機を停止すると好ましい。
【発明の効果】
【００１７】
本発明によると、清掃装置のブラシ体が巻取ロールを回転駆動する駆動モータに連結され、巻取ロールの回転時に回転するとともに巻取ロール上のフィルタに摺動する。これにより、ブラシ体を回転させる従来例のブラシ体用モータを駆動モータと別途設ける必要がなくなる。したがって、空気清浄機の製造コストを削減することができる。
【図面の簡単な説明】
【００１８】
【図１】本発明の第１実施形態の空気清浄機を示す正面図
【図２】本発明の第１実施形態の空気清浄機を示す側面断面図
【図３】本発明の第１実施形態の空気清浄機の清掃装置を示す分解斜視図
【図４】本発明の第１実施形態の空気清浄機のプレフィルタを示す平面図
【図５】本発明の第１実施形態の空気清浄機の清掃装置の供給ロールの側面断面図
【図６】本発明の第１実施形態の空気清浄機の清掃装置の巻取ロール、集塵部及びギアユニットの内部を示す斜視図
【図７】本発明の第１実施形態の空気清浄機の清掃装置のギアユニットの内部の拡大斜視図
【図８】本発明の第１実施形態の空気清浄機の清掃装置の付勢部の分解斜視図
【図９】本発明の第２実施形態の空気清浄機のカバー部の支持部材の供給ロールが取付けられる前の側面図
【図１０】本発明の第２実施形態の空気清浄機のカバー部の支持部材の供給ロールが取付られた後の側面図
【図１１】本発明の第３実施形態の空気清浄機のカバー部の支持部材の供給ロールが取付けられる前の側面図
【図１２】本発明の第３実施形態の空気清浄機のカバー部の支持部材の供給ロールが取付けられた後の側面図
【図１３】本発明の第４実施形態の空気清浄機のプレフィルタの平面図
【図１４】本発明の第５実施形態の空気清浄機の押え部材の斜視図
【発明を実施するための形態】
【００１９】
＜第１実施形態＞
以下に図面を参照して本発明の実施形態を説明する。図１及び図２は第１実施形態の空気清浄機の正面図及び側面断面図を示している。なお、矢印Ｓは空気の流れを示している。空気清浄機１は吸込口３及び吹出口４、５を開口して居室内の床面等に設置される筐体２を有する。筐体２は本体部２０及びカバー部２１を有する。カバー部２１は本体部２０の背面に対して着脱可能に配され、吸込口３を開口する。本体部２０は吹出口４、５をそれぞれ前面上部及び上面に開口する。
【００２０】
吹出口４、５には風向を可変する風向板１４、１５がそれぞれ設けられる。風向板１４は平板から成り、風向板１４に設けられた回動軸部（不図示）により上下方向に回動可能に支持される。風向板１４の下面には複数の縦ルーバ１４ａが左右方向に並んで垂設される。両側端部の縦ルーバ１４ａは前方へ行くほど左右方向の外方に傾斜している。
【００２１】
風向板１５は平板から成り、風向板１５の前部に設けられた回動軸部１５ｂにより上下方向に回動可能に支持される。風向板１５の下面には複数の縦ルーバ１５ａが左右方向に並んで垂設される。両側端部の縦ルーバ１５ａは後方へ行くほど左右方向の外方に傾斜している。
【００２２】
風向板１４、１５は空気清浄機１の運転停止時にそれぞれ吹出口４、５を閉じ、運転時に吹出口４、５を開く。
【００２３】
筐体２内には吸込口３と吹出口４、５とを連結する空気通路８が設けられる。空気通路８内には吸込口３から吹出口４、５に向かって（気流の上流から下流に向かって）順にプレフィルタ６（フィルタ）、脱臭フィルタ７、集塵フィルタ９、加湿部２００、送風機１０、イオン発生装置１１及びダンパ１２が設けられる。
【００２４】
空気通路８はイオン発生装置１１の下流で分岐する第１分岐通路８ａ及び第２分岐通路８ｂを有する。第１分岐通路８ａ及び第２分岐通路８ｂはそれぞれ吹出口４、５に連通し、第１分岐通路８ａの空気の流路の断面積は第２分岐通路８ｂの空気の流路の断面積よりも小さくなっている。
【００２５】
ダンパ１２は薄板状に形成され、回動軸部１２ａにより上下方向に回動可能に支持される。ダンパ１２は第１分岐通路８ａを閉じた位置（図２参照）から開く方向（図２において、反時計回り方向）に回動することができる。ダンパ１２により第１分岐通路８ａ及び第２分岐通路８ｂの風量バランスが可変される。
【００２６】
送風機１０はモータ１０ａにより駆動されるシロッコファン等の遠心ファンにより形成され、軸方向に吸気して周方向に排気する。
【００２７】
プレフィルタ６はポリプロピレン等のシート状のメッシュにより形成され、吸込口３に面してカバー部２１に配される。プレフィルタ６によって吸気中の大きな塵埃を捕集することができる。
【００２８】
脱臭フィルタ７はハニカム状に形成され、空気中の臭気成分を吸着して空気を脱臭することができる。
【００２９】
集塵フィルタ９はＨＥＰＡフィルタから成り、濾材（不図示）を覆うように枠材（不図示）がホットメルトにより溶着される。集塵フィルタ９によって空気中の微細な塵埃や所定粒径（例えば３μｍ）よりも小さい粒径のＰＭ２．５等の微小粒子を捕集することができる。
【００３０】
加湿部２００は、トレイ２０１内の水に加湿フィルタ２０２の下部を浸漬し、加湿フィルタ２０２を通過する空気を加湿する。これにより、吹出口４、５から加湿空気が送出される。
【００３１】
イオン発生装置１１は高圧電圧の印加によりイオンを発生するイオン発生面１１ａを有し、イオン発生面１１ａは空気通路８内に面している。イオン発生面１１ａには交流波形またはインパルス波形から成る電圧が印加される。イオン発生面１１ａの印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００３２】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口４、５から送出することにより居室内の除菌及び臭い除去を行うことができる。
【００３３】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  2・ＯＨ＋Ｏ２＋(ｍ＋ｍ'＋ｎ＋ｎ')Ｈ２Ｏ  ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  Ｈ２Ｏ２＋Ｏ２＋(ｍ＋ｍ'＋ｎ＋ｎ')Ｈ２Ｏ  ・・・（３）
【００３４】
本体部２０の上面前部には操作部１９が設けられる。操作部１９は複数のボタン（不図示）を有し、使用者の操作によって空気清浄機１の動作設定を行う。各ボタンの操作により、吹出口４、５から送出される空気の風量の変更や空気の吹き出し方向の変更等を行うことができる。
【００３５】
また、カバー部２１にはプレフィルタ６を清掃する清掃装置３０が設けられる。図３は清掃装置３０の分解斜視図を示している。清掃装置３０は供給ロール４０、巻取ロール５０、ギアユニット６０、付勢部７０、ブラシ体８０、集塵部９０及び駆動モータ１００（図２参照）を有する。
【００３６】
供給ロール４０及び巻取ロール５０はカバー部２１の上部及び下部にそれぞれ配され、プレフィルタ６の両端を保持する。プレフィルタ６は清掃装置３０の停止時に供給ロール４０に巻回され、清掃装置３０の駆動時に供給ロール４０から送り出されて巻取ロール５０に巻き取られる。
【００３７】
供給ロール４０は左右方向に延びるシャフト４１を有し、シャフト４１の両端部にはキャップ４８が被嵌される。キャップ４８はカバー部２１の内面の上端部に配した支持部材４９により回転可能に支持される。これにより、供給ロール４０は左右方向に延びる回転軸で回転可能に配される。また、供給ロール４０の一端（右端）はキャップ４８を介して付勢部７０に連結される。
【００３８】
巻取ロール５０は左右方向に延びるシャフト５１を有し、シャフト５１の両端部にはキャップ５８が被嵌される。左右のキャップ５８はカバー部２１の内面の下端部に配した支持部材５９及びギアユニット６０によりそれぞれ回転可能に支持される。これにより、巻取ロール５０は左右方向に延びる回転軸で回転可能に配される。
【００３９】
図４はプレフィルタ６の平面図を示している。プレフィルタ６は巻取方向Ｗの両端部に左右方向に延びて供給ロール４０及び巻取ロール５０に保持されるバー材６ａを有する。また、プレフィルタ６は清掃装置３０の停止時に吸込口３に面して配される通気部６ｂと、清掃装置３０の駆動時に供給ロール４０から送り出される収納部６ｃとを有する。
【００４０】
収納部６ｃ上には通気部６ｂと区別して吸込口３から視認可能な図柄６ｇが設けられる。本実施形態では、図柄６ｇとして「お掃除中です」と赤い文字を用いている。なお、図柄６ｇに特に限定はなく、例えば、通気部６ｂと異なる色の縞模様等でもよい。
【００４１】
図５は供給ロール４０の側面断面図を示している。なお、巻取ロール５０の構成は供給ロール４０と同様の構成であるため、供給ロール４０を代表して説明する。供給ロール４０の軸部を形成するシャフト４１は芯材４１ａ及びスリーブ４１ｄを有する。
【００４２】
芯材４１ａは断面Ｃ字状のアルミニウム等の金属の押出し成形品から成り、周面上に軸方向に延びた溝部４１ｂを有する。溝部４１ｂの対向する内壁面４１ｃは傾斜し、溝部４１ｂの周方向の幅は内周側よりも外周側が広くなっている。溝部４１ｂの内壁面４１ｃによってプレフィルタ６のバー材６ａの周面が支持される。
【００４３】
スリーブ４１ｄは軸方向に延びる開口部４１ｅを有した断面Ｃ字状の樹脂成形品により形成され、芯材４１ａに外嵌される。溝部４１ｂ上にバー材６ａを支持されるプレフィルタ６は開口部４１ｅに挿通される。スリーブ４１ｄの開口部４１ｅの幅はバー材６ａの直径よりも小さく、芯材４１ａに支持されるバー材６ａが抜け止めされる。この時、スリーブ４１ｄの周方向の両端部は弾性によりバー材６ａを押圧し、芯材４１ａの溝部４１ｂ及びスリーブ４１ｄによってバー材６ａが弾性挟持される。
【００４４】
また、スリーブ４１ｄの開口部４１ｅを広げる方向（図５において、左右方向）に力を加えると、スリーブ４１ｄが弾性変形する。広げられた開口部４１ｅを介してプレフィルタ６のバー材６ａをシャフト４１に対して着脱することができる。同様に、プレフィルタ６の下端部のバー材６ａをシャフト５１に対して着脱することができる。これにより、プレフィルタ６を清掃装置３０から容易に取り外してプレフィルタ６の交換等を行うことができる。
【００４５】
図３において、ブラシ体８０はカバー部２１に着脱可能に取り付けられた集塵部９０に配される。ブラシ体８０は集塵部９０に軸方向の両端部を支持されるシャフト８１を有し、後述のように清掃装置３０の駆動時に回転してプレフィルタ６上の塵埃を除去する。シャフト８１の一端（右端）には平歯車６８が設けられ、シャフト８１の周面にはブラシ毛束８２が螺旋状に所定間隔で植設される。
【００４６】
集塵部９０は蓋部９１、容器９２及び櫛部９３を有し、カバー部２１に対して着脱可能に配される。容器９２は透明な樹脂により形成され、上面を開口して両側部でブラシ体８０を支持する。蓋部９１は左右端にわたって開口する開口部９１ａを開口し、容器９２の上面を覆う。ブラシ体８０のブラシ毛束８２は開口部９１ａから外部に露出する。櫛部９３は左右方向に延びて形成され、歯先を上方に向けて容器９２内に配される。回転するブラシ体８０のブラシ毛束８２は櫛部９３の歯先に当接する。櫛部９３によってブラシ毛束８２に付着した塵埃がブラシ毛束８２から除去される。
【００４７】
ブラシ体８０によってプレフィルタ６から除去された塵埃及び櫛部９３によってブラシ体８０から除去された塵埃は容器９２内に溜められる。この時、容器９２は透明な樹脂により形成されるため、使用者は容器９２内の塵埃量を容易に把握することができる。
【００４８】
駆動モータ１００（図２参照）は筐体２の本体部２０内に配され、駆動モータ１００の回転軸（不図示）は本体部２０の背面から後方に向かって突出している。
【００４９】
また、プレフィルタ６の前方には所定の隙間を有して押え部材２２が配される。押え部材２２はカバー部２１に対して着脱可能に取り付けられる。押え部材２２はＡＢＳ等の合成樹脂で形成された矩形の枠２２ａを有する。枠２２ａ内には上下方向に延びるリブ２２ｂと、左右方向に延びて上下方向に並設される複数（本実施形態では３本）のリブ２２ｃとが設けられる。これにより、押え部材２２は複数段複数列の窓を有する。押え部材２２によってプレフィルタ６を吸込口３に沿って安定して配置し、吸込気流によるプレフィルタ６の弛みを防止することができる。
【００５０】
押え部材２２の枠２２ａの右側端部の中央部には磁石２３が設けられる。本体部２０の磁石２３に対向する位置にはホール素子（不図示）が設けられる。空気清浄機１は、カバー部２１が本体部２０に取り付けられているか否かをホール素子により判断することができる。そして、空気清浄機１は、カバー部２１が本体部２０に取り付けられていないと判断した場合は送風機１０の動作を禁止する。これにより、カバー部２１が本体部２０に取り付けられていない状態での空気清浄機１の送風動作が回避される。
【００５１】
また、ギアユニット６０及び付勢部７０はカバー部２１の一端部（右端部）に配置される。このため、カバー部２１の内面上にはギアユニット６０と付勢部７０との間にスペースＳＰが形成される。スペースＳＰには空気清浄機１の取扱説明に関する情報を記載したテープ状部材３００が貼着される。上記情報にはプレフィルタ６の清掃装置３０からの取り外し方法に関する情報、及び後述の付勢部７０のハンドル７３の操作方法に関する情報が含まれる。
【００５２】
これにより、使用者はカバー部２１を本体部２０から取り外した際に上記情報を視認して、プレフィルタ６の清掃装置３０からの取り外し方法及び付勢部７０のハンドル７３の操作方法を容易に認識することができる。したがって、空気清浄機１の利便性を向上させることができる。
【００５３】
図６は清掃装置３０の巻取ロール５０、集塵部９０及びギアユニット６０の内部を示す斜視図である。図７はギアユニット６０の内部の拡大斜視図である。ギアユニット６０は、傘歯車６１（第１交差軸歯車）、傘歯車６２（第２交差軸歯車）、平歯車６３（第１平行軸歯車）、平歯車６４（第２平行軸歯車）、内歯車６５、平歯車６６、平歯車６７をハウジング６０ａ（図３参照）内に有する。ハウジング６０ａはカバー部２１（図３参照）にネジ止めされる。
【００５４】
傘歯車６１は軸方向を前後方向に配され、駆動モータ１００（図２参照）の回転軸（不図示）に嵌合する嵌合孔６１ａを軸上に有する。傘歯車６２は軸方向を左右方向に配され、傘歯車６１に噛合する。平歯車６３は傘歯車６２と同心に一体形成される。
【００５５】
平歯車６３の軸部６３ａはキャップ５８の凸部５８ａ（図３参照）が嵌合する嵌合孔（不図示）を有する。これにより、平歯車６３及び傘歯車６２は巻取ロール５０に連結される。
【００５６】
平歯車６４は平歯車６３の下方に配置され、平歯車６３に噛合する。内歯車６５は平歯車６４と一体に設けられる。平歯車６６は内歯車６５に噛合する。平歯車６７は平歯車６６と同心に一体形成される。ブラシ体８０の一端に設けられる平歯車６８は平歯車６７に噛合する。
【００５７】
駆動モータ１００の駆動により傘歯車６１、傘歯車６２を介して巻取ロール５０が回転する。また、傘歯車６２と一体の平歯車６３の回転により平歯車６４、内歯車６５、平歯車６６、平歯車６７、平歯車６８を介してブラシ体８０が回転する。傘歯車６２と一体の平歯車６３と、ブラシ体８０に連結される平歯車６４とが噛合するため、巻取ロール５０に平行に配されるブラシ体８０を容易に回転させることができる。
【００５８】
この時、平歯車６４と一体の内歯車６５が設けられるため、ブラシ体８０の回転軸上の平歯車６８を平歯車６３の回転軸（軸部６３ａ）と平歯車６４の回転軸との間に配置することができる。これにより、巻取ロール５０上のプレフィルタ６に摺動するブラシ体８０を容易に巻取ロール５０に接近して配置することができる。
【００５９】
なお、傘歯車６１、６２は交差軸歯車であればよい。また、各平歯車は平行軸歯車であればよく、はすば歯車等を用いてもよい。
【００６０】
図８は清掃装置３０の付勢部７０の分解斜視図を示している。付勢部７０は互いにネジ止めされるハウジング７８、７９内に収納される回転体７１（第１回転体）及び回転体７２（第２回転体）を有する。回転体７１の軸方向の一端面から挟持部７１ａが突設されるとともに他端面には溝部７１ｂが設けられる。溝部７１ｂにはキャップ４８に設けられた係止部４８ａが嵌合する。これにより、回転体７１が供給ロール４０の軸部を係止し、供給ロール４０が付勢部７０に接続される。
【００６１】
回転体７２は回転体７１側の内部にゼンマイ７５を収納する。ゼンマイ７５の一端（内端）は回転体７１の挟持部７１ａにより挟持され、他端（外端）は回転体７２の内周面上に取り付けられる。右側面から見て（矢印Ａ方向から見て）回転体７１が回転体７２に対して時計回りに回転するとゼンマイ７５の付勢力が大きくなる。すなわち、矢印Ａ方向から見て回転体７２が回転体７１に対して時計回りに回転するとゼンマイ７５の付勢力が小さくなる。
【００６２】
回転体７２の軸方向の外側（右側）の外周面には、複数の爪７２ａが所定間隔で設けられる。ハウジング７８内にはストッパ７７が軸支され、ストッパ７７は回転体７２を押圧する方向にねじりコイルばね７７ａによって付勢される。これにより、回転体７２はストッパ７７と爪７２ａとの係合によって矢印Ａ方向から見てゼンマイ７５の付勢力を小さくする時計回りの回転が規制される。
【００６３】
ハウジング７８の右側面には開口部７８ａが開口し、開口部７８ａを覆うように円筒形状のハンドル７３が配される。ハウジング７８内には開口部７８ａよりも大径の鍔部７３ａが配される。開口部７８ａを介してハンドル７３と鍔部７３ａとがハウジング７８の外壁に対して軸方向に所定の隙間を有してネジ止めされる。これにより、ハンドル７３がハウジング７８に回転可能に取り付けられる。
【００６４】
ハウジング７８内には鍔部７３ａの軸方向の内側（左側）に連結部材７４が配される。回転体７２と連結部材７４との間には圧縮バネ７６が配され、連結部材７４が軸方向の外側（右側）に付勢される。連結部材７４の周面には複数の切欠き部７４ｃが所定間隔で形成される。回転体７２の軸方向の外端部には切欠き部７４ｃに嵌合する放射状に延びた複数のリブ７２ｃが形成される。これにより、連結部材７４は回転体７２と一体に回転する。
【００６５】
連結部材７４は鍔部７３ａ及び開口部７８ａよりも大径に形成される。連結部材７４の軸方向の外側（右側）の面には複数の傾斜部７４ａ及び複数のリブ７４ｂが所定間隔で設けられる。傾斜部７４ａは矢印Ａ方向から見て反時計回りに漸次高く形成される。リブ７４ｂは傾斜部７４ａの頂部に隣接して放射状に延び、頂部よりも高く形成される。
【００６６】
また、鍔部７３ａの軸方向の内側の面（左側面）にはリブ７４ｂに係合する放射状に延びた複数のリブ７３ｂが設けられる。ハウジング７８の内壁面にはリブ７４ｂに係合する突起部（不図示）が設けられる。
【００６７】
ハンドル７３を矢印Ａ方向から見て時計回りに回転させると、リブ７４ｂがリブ７３ｂに係合するとともにハウジング７８の突起部に係合する。これにより、ハンドル７３の回転が規制される。
【００６８】
一方、ハンドル７３を矢印Ａ方向から見て反時計回りに回転させると、リブ７３ｂが傾斜部７４ａ上を摺動する。このため、連結部材７４が圧縮バネ７６の付勢力に抗して軸方向内側に移動し、リブ７４ｂがハウジング７８の突起部から軸方向に離れる。これにより、ハンドル７３を回転させることができ、リブ７４ｂがリブ７３ｂに係合して回転体７２がゼンマイ７５の付勢力を大きくする方向に回転する。すなわち、ハンドル７３によって回転体７２が回転操作される。
【００６９】
上記構成の空気清浄機１において、操作部１９の操作により運転が開始されると、カバー部２１が本体部２０に取り付けられているか否かが判断される。カバー部２１が本体部２０に取り付けられていると判断されると、送風機１０及びイオン発生装置１１が駆動される。これにより、吸込口３から居室内の空気が吸い込まれて空気通路８を流通する。この時、プレフィルタ６により空気中に大きな塵埃が捕集される。また、脱臭フィルタ７により空気が脱臭され、集塵フィルタ９により空気中の微細な塵埃やＰＭ２．５等の微小粒子が捕集される。
【００７０】
そして、イオン発生装置１１により発生したイオンが空気に含まれる。イオンを含んだ空気は吹出口４、５の一方または両方から居室内に吹き出される。これにより、空気清浄機１の送風動作が行われ、居室内の空気清浄が行われる。
【００７１】
次に、清掃装置３０の動作について説明する。所定の時期になると、清掃装置３０が駆動されて清掃装置３０による清掃動作が開始される。清掃動作は例えば空気清浄機１の所定期間内の累積運転時間が所定時間を超えた場合に開始される。清掃装置３０の駆動時に送風機１０は停止される。
【００７２】
清掃装置３０が駆動されると駆動モータ１００が回転し、傘歯車６１（図６、図７参照）が正面から見て反時計回りに回転する。傘歯車６２及び平歯車６３は右側面から見て（矢印Ａ方向から見て）時計回りに回転する。これにより、巻取ロール５０は右側面から見て時計回りに回転し、供給ロール４０からプレフィルタ６を引き出して巻き取る。
【００７３】
平歯車６４、内歯車６５、平歯車６６及び平歯車６７は右側面から見て反時計回りに回転し、平歯車６８は右側面から見て時計回りに回転する。これにより、ブラシ体８０は右側面から見て時計回りに回転する。この時、ブラシ体８０のブラシ毛束８２は巻取ロール５０上のプレフィルタ６に摺動する。これにより、プレフィルタ６上の塵埃が除去され、塵埃は容器９２内に集塵される。
【００７４】
この時、巻取ロール５０の回転方向とブラシ体８０の回転方向とが同じ方向になる。このため、ブラシ体８０のブラシ毛束８２はプレフィルタ６の進行方向と逆方向からプレフィルタ６に摺動する。したがって、ブラシ体８０はプレフィルタ６上の塵埃を確実に除去することができる。
【００７５】
また、ブラシ体８０の周速は巻取ロール５０の周速よりも大きいと望ましい。これにより、プレフィルタ６上でブラシ毛束８２の周方向の接触長さをブラシ毛束８２の接触する周期よりも長くし、プレフィルタ６上にブラシ毛束８２を隙間なく接触させることができる。
【００７６】
回転するシャフト８１上のブラシ毛束８２は櫛部９３で梳かれ、ブラシ毛束８２に付着した塵埃が容器９２内に落下する。
【００７７】
プレフィルタ６が巻取ロール５０に巻き取られる時、供給ロール４０に接続される付勢部７０の回転体７１（図８参照）は右側面から見て（矢印Ａ方向から見て）時計回りに回転する。これにより、ゼンマイ７５が巻かれ、ゼンマイ７５の付勢力が大きくなる。
【００７８】
この時、プレフィルタ６の収納部６ｃ上の図柄６ｇ（図４参照）が下方に移動し、吸込口３を介して視認される。これにより、使用者は清掃装置３０の駆動中であること容易に認識することができる。このため、使用者が故障によって送風機１０が停止したと誤認することを防止できる。なお、清掃装置３０の駆動時に送風機１０を低速運転してもよい。
【００７９】
駆動モータ１００の回転量が所定値に到達すると、駆動モータ１００が反転する。これにより、傘歯車６１が巻取時とは反対方向（本実施形態では時計回り方向）に回転する。この時、巻取ロール５０及びブラシ体８０は右側面から見て反時計回りに回転する。
【００８０】
巻取ロール５０によるプレフィルタ６の巻取が終わった時にゼンマイ７５の付勢力は巻取前よりも大きくなっている。このため、駆動モータ１００を反転させると、ゼンマイ７５の復元力によって回転体７１が右側面から見て反時計回りに回転する。これにより、プレフィルタ６が供給ロール４０に巻回される。
【００８１】
駆動モータ１００の回転量が所定値に到達すると、駆動モータ１００が停止される。以上により、清掃装置３０による清掃動作が終了する。
【００８２】
なお、巻取ロール５０の外径を検知するセンサを設けてもよい。これにより、プレフィルタ６を巻き取った状態の巻取ロール５０の外径が所定の外径よりも大きくなったことを検知して駆動モータ１００を反転させることができる。また、巻取ロール５０の外径が所定の外径よりも小さくなったことを検知して駆動モータ１００を停止させることができる。
【００８３】
清掃装置３０による清掃動作の終了後に、使用者は集塵部９０をカバー部２１から取り外し、容器９２に溜まった塵埃を廃棄することができる。
【００８４】
また、プレフィルタ６は交換時にプレフィルタ６の一端を取り付けられた供給ロール４０がカバー部２１に装着される。そして、プレフィルタ６の下端が巻取ロール５０に取り付けられる。
【００８５】
この時、供給ロール４０と巻取ロール５０との間のプレフィルタ６に弛みが生じている場合がある。この場合に使用者が付勢部７０のハンドル７３を右側面から見て（矢印Ａ方向から見て）反時計回りに回すと、回転体７１、７２が右側面から見て反時計回りに回転する。これにより、プレフィルタ６が供給ロール４０に巻き取られ、プレフィルタ６の弛みを解消することができる。したがって、送風機１０を駆動させた際に吸込口３から吸い込まれた空気がプレフィルタ６を確実に通過することができる。
【００８６】
本実施形態によると、ブラシ体８０が巻取ロール５０を回転駆動する駆動モータ１００に連結され、巻取ロール５０の回転時に回転するとともに巻取ロール５０上のプレフィルタ６（フィルタ）に摺動する。これにより、ブラシ体８０を回転させる従来例のブラシ体用モータを駆動モータ１００と別途設ける必要がなくなる。したがって、空気清浄機１の製造コストを削減することができる。
【００８７】
また、巻取ロール５０の回転方向とブラシ体８０の回転方向とが同方向である。これにより、ブラシ体８０はプレフィルタ６の進行方向と逆方向からプレフィルタ６に摺動する。したがって、ブラシ体８０はプレフィルタ６上の塵埃を確実に除去することができる。
【００８８】
また、ブラシ体８０の周速は巻取ロール５０の周速よりも大きいと望ましい。これにより、プレフィルタ６上でブラシ毛束８２の周方向の接触長さをブラシ毛束８２の接触する周期よりも長くし、プレフィルタ６上にブラシ毛束８２を隙間なく接触させることができる。したがって、プレフィルタ６上の塵埃をより確実に除去することができる。
【００８９】
また、駆動モータ１００が筐体２の本体部２０に配されるとともに供給ロール４０及び巻取ロール５０がカバー部２１に配される。これにより、カバー部２１を本体部２０から取り外してプレフィルタ６を容易に交換することができる。なお、空気清浄機１は清掃装置３０を備えているが、空気清浄機１の設置場所（例えば、台所のように油汚れが多い場所など）によってはプレフィルタ６の目詰まりが生じる場合がある。この場合でも、プレフィルタ６を容易に取り外して念入りに清掃することができる。
【００９０】
また、駆動モータ１００の回転軸に嵌合する嵌合孔６１ａを有した傘歯車６１（第１交差軸歯車）と、傘歯車６１に噛合する傘歯車６２（第２交差軸歯車）と、傘歯車６２と一体に回転して巻取ロール５０に連結される平歯車６３（第１平行軸歯車）と、平歯車６３に噛合してブラシ体８０に連結される平歯車６４（第２平行軸歯車）とを備える。これにより、一の駆動モータ１００による巻取ロール５０及びブラシ体８０の回転を容易に実現することができる。
【００９１】
また、巻取ロール５０に連結される平歯車６３がブラシ体８０に連結される平歯車６４よりも駆動モータ１００側に配置されるため、巻取ロール５０に伝達される駆動力の減衰を抑制できる。これにより、プレフィルタ６を介して付勢部７０により付勢される巻取ロール５０を付勢力に抗して駆動モータ１００により確実に回転駆動することができる。
【００９２】
また、ブラシ体８０と平歯車６４との間に、平歯車６４と一体に設けられる内歯車６５と、内歯車６５に噛合する平歯車６６（第３平行軸歯車）とを設け、ブラシ体８０の回転軸が平歯車６３の回転軸と平歯車６４の回転軸との間に配される。これにより、巻取ロール５０上のプレフィルタ６に摺動するブラシ体８０を容易に巻取ロール５０に接近して配置することができる。
【００９３】
また、プレフィルタ６が清掃装置３０の停止時に吸込口３に面して配される通気部６ｂと、清掃装置３０の駆動時に供給ロール４０から送り出される収納部６ｃとを有する。そして、収納部６ｃ上には通気部６ｂと区別して吸込口３から視認可能な図柄６ｇが設けられる。これにより、プレフィルタ６の移動が容易に視認され、使用者は清掃装置３０によるプレフィルタ６の清掃を容易に認識することができる。
【００９４】
また、清掃装置３０の駆動時に送風機１０を停止する。これにより、プレフィルタ６から除去された直後の塵埃のプレフィルタ６の下流側への吸い込みを防止することができる。また、図柄６ｇによって使用者が故障によって送風機１０が停止したと誤認することを防止できる。
【００９５】
また、清掃装置３０の付勢部７０は、巻取ロール５０のプレフィルタ６の巻き取り時に供給ロール４０の回転軸を巻取方向の逆方向に付勢するゼンマイ７５を有する。これにより、巻取ロール５０の巻取が終了した後に駆動モータ１００を反転させると、ゼンマイ７５の復元力によってプレフィルタ６が供給ロール４０に巻回される。したがって、供給ロール４０を巻取ロール５０の巻取方向Ｗと反対方向に回転させるためのモータを駆動モータ１００と別途に設ける必要がない。その結果、空気清浄機１の製造コストをより削減することができる。また、ゼンマイ７５を用いるため、付勢しながらプレフィルタ６を長い距離で巻取ロール５０に巻き取ることができる。これにより、プレフィルタ６の大きさの設計の自由度を高めることができる。
【００９６】
また、付勢部７０が、供給ロール４０の軸部を係止してゼンマイ７５の一端が取り付けられる回転体７１（第１回転体）と、ゼンマイ７５の他端が取り付けられるとともにゼンマイ７５の付勢力を小さくする方向の回転が規制される回転体７２（第２回転体）と、回転体７２を回転操作するハンドル７３とを有する。これにより、供給ロール４０をカバー部２１に装着してハンドル７３を操作すると、プレフィルタ６は巻取方向Ｗと逆方向に巻回される。したがって、プレフィルタ６の弛みを低減し、塵埃を含んだ空気がプレフィルタ６を確実に通過することができる。
【００９７】
また、付勢部７０は、ハンドル７３と回転体７２との間に配されてゼンマイ７５の付勢力を小さくする方向へのハンドル７３の回転を規制する連結部材７４を備え、連結部材７４は回転体７２と一体に回転する。これにより、ゼンマイ７５の付勢力を小さくする方向への回転体７２の回転を確実に防止することができる。
【００９８】
また、供給ロール４０のシャフト４１が溝部４１ｂを有する芯材４１ａと、芯材４１ａに外嵌する断面Ｃ字状の弾性体から成るスリーブ４１ｄとを有し、スリーブ４１ｄ及び溝部４１ｂによりプレフィルタ６のバー材６ａを弾性挟持する。これにより、スリーブ４１ｄの開口部４１ｅを広げると、バー材６ａをシャフト４１から容易に取り外すことができる。また、スリーブ４１ｄによりバー材６ａのシャフト４１からの脱落を防止することができる。巻取ロール５０についても同様である。
【００９９】
また、供給ロール４０の芯材４１ａが金属から成り、スリーブ４１ｄが樹脂成形品から成る。巻取ロール５０についても同様である。これにより、シャフト４１、５１の強度を十分確保しながらバー材６ａをシャフト４１、５１に対して容易に着脱することができる。
【０１００】
＜第２実施形態＞
次に、本発明の第２実施形態について説明する。図９は本実施形態の空気清浄機のカバー部の支持部材の側面図を示している。説明の便宜上、前述の図１〜図８に示した第１実施形態と同様の部分には同一の符号を付している。本実施形態では、カバー部２１の支持部材４９の構成が第１実施形態とは異なっている。その他の部分は第１実施形態と同様である。
【０１０１】
カバー部２１の供給ロール４０の右方の支持部材４９（図３参照）の前端部には上下方向に回動する樹脂製の回動板４００が設けられる。回動板４００の軸部４０１は回動板４００の前後方向の中央よりも後方に偏って配される。これにより、図９に示すように、支持部材４９上に供給ロール４０が取付けられていない場合には回動板４００の前端部が支持部材４９よりも前方に突出する。このため、供給ロール４０がカバー部２１に取付けられていない状態でカバー部２１を本体部２０に取り付けようとすると、回動板４００の前端部が本体部２０と干渉する。したがって、カバー部２１への供給ロール４０の取付忘れを容易に防止することができる。
【０１０２】
一方、図１０に示すように、供給ロール４０を支持部材４９上に取り付けると、供給ロール４０が回動板４００の後端部に衝突し、回動板４００は上方に回動する。これにより、回動板４００の前端部が後方に退避し、カバー部２１を本体部２０に取付ける際に回動板４００と本体部２０との干渉が防止される。
【０１０３】
なお、本実施形態でも第１実施形態と同様の効果を得ることができる。
【０１０４】
＜第３実施形態＞
次に、本発明の第３実施形態について説明する。図１１は本実施形態の空気清浄機のカバー部の支持部材の側面図を示している。説明の便宜上、前述の図１〜図８に示した第１実施形態と同様の部分には同一の符号を付している。本実施形態では、カバー部２１の支持部材４９の構成が第１実施形態とは異なっている。その他の部分は第１実施形態と同様である。
【０１０５】
支持部材４９は固定部４９ａ及び移動部４９ｂを有する。移動部４９ｂの後端部にはバネ４９ｃが設けられ、バネ４９ｃの一端はカバー部２１の前面に取付けられる。この時、バネ４９ｃが伸びた状態で移動部４９ｂの前端部は固定部４９ａよりも前方に突出するように構成される。これにより、図１１に示すように、支持部材４９上に供給ロール４０が取付けられていない場合には移動部４９ｂの前端部が固定部４９ａよりも前方に突出する。このため、供給ロール４０がカバー部２１に取付けられていない状態でカバー部２１を本体部２０に取り付けようとすると、移動部４９ｂの前端部が本体部２０と干渉する。したがって、カバー部２１への供給ロール４０の取付忘れを容易に防止することができる。
【０１０６】
一方、図１２に示すように、供給ロール４０を支持部材４９上に取り付けると、固定部４９ａに当接した供給ロール４０が移動部４９ｂを後方へ移動させる。これにより、移動部４９ｂの前端部が後方に退避し、カバー部２１を本体部２０に取付ける際に移動部４９ｂと本体部２０との干渉が防止される。
【０１０７】
本実施形態でも第１実施形態と同様の効果を得ることができる。
【０１０８】
なお、第２実施形態及び第３実施形態において、第１実施形態の磁石２３及びホール素子に替えて、フォトインタラプタ（不図示）を設けてもよい。フォトインタラプタは対向する発光部及び受光部を有する。発光部から受光部へ向かう光が、支持部材４９よりも前方に突出した第２実施形態の回動板４００や第３実施形態の移動部４９ｂによって遮られたことを受光部で検出した場合に、送風機１０の駆動を禁止する。これにより、カバー部２１が本体部２０に取り付けられていない状態での空気清浄機１の送風動作を防止することができる。
【０１０９】
＜第４実施形態＞
次に、本発明の第４実施形態について説明する。図１３は本実施形態の空気清浄機のプレフィルタの平面図を示している。説明の便宜上、前述の図１〜図８に示した第１実施形態と同様の部分には同一の符号を付している。本実施形態ではプレフィルタ６の構成が第１実施形態とは異なっている。その他の部分は第１実施形態と同様である。
【０１１０】
シート状のプレフィルタ６は巻取方向Ｗに第１領域Ａ１〜第４領域Ａ４が並べて形成される。第１領域Ａ１はメッシュの密度が低い領域、第２領域Ａ２はメッシュの密度が高い領域、第３領域Ａ３はメッシュに活性炭が付着された領域、第４領域Ａ４はメッシュに芳香剤が付着された領域になっている。
【０１１１】
また、空気清浄機１は塵埃センサ（不図示）及び臭いセンサ（不図示）を有する。塵埃センサは居室内の空気中の塵埃濃度を検知する。臭いセンサは居室内の空気中の臭気成分の濃度を検知する。
【０１１２】
上記構成の空気清浄機１において、例えば塵埃センサの検知結果により空気中の塵埃濃度が低いと判断された場合には駆動モータ１００が駆動して巻取ロール５０が回転し、第１領域Ａ１が吸込口３に面して配される。これにより、空気清浄機１の送風効率を向上させることができる。また、例えば塵埃センサの検知結果により空気中の塵埃濃度が高いと判断された場合には駆動モータ１００が駆動して巻取ロール５０が回転し、第２領域Ａ２が吸込口３に面して配される。なお、第１領域Ａ１〜第４領域Ａ４の巻取方向Ｗの長さ及び駆動モータ１００の回転量に基づいて、吸込口３に面して配される領域を決定することができる。
【０１１３】
臭いセンサの検知結果により空気中の臭気成分の濃度が高いと判断された場合には駆動モータ１００が駆動して巻取ロール５０が回転し、第３領域Ａ３または第４領域Ａ４が吸込口３に面して配される。
【０１１４】
以上により、居室内の空気の状態に適したプレフィルタ６の領域が吸込口３に面して配されるため、空気清浄機１の使用性を向上させることができる。
【０１１５】
本実施形態でも第１実施形態と同様の効果を得ることができる。また、プレフィルタ６は巻取方向Ｗに第１領域Ａ１〜第４領域Ａ４が並んで形成される。これにより、居室内の空気の状態に適したプレフィルタ６の領域が吸込口３に面して配されるため、空気清浄機１の使用性を向上させることができる。
【０１１６】
なお、使用者が操作部１９を操作することにより、第１領域Ａ１〜第４領域Ａ４を選択してもよい。
【０１１７】
＜第５実施形態＞
次に、本発明の第５実施形態について説明する。図１４は本実施形態の空気清浄機のプレフィルタの押え部材の斜視図を示している。説明の便宜上、前述の図１〜図８に示した第１実施形態と同様の部分には同一の符号を付している。本実施形態では押え部材２２の構成が第１実施形態とは異なっている。その他の部分は第１実施形態と同様である。
【０１１８】
本実施形態の押え部材２２はプレフィルタ６の巻取方向Ｗ（本実施形態では上下方向）に延びるリブ２２ｂのみを有し、巻取方向Ｗに直交する方向（本実施形態では左右方向）に延びるリブを有さない。これにより、巻取方向Ｗに直交する方向に延びるリブがプレフィルタ６上を摺動することによる塵埃の落下を防止することができる。
【０１１９】
なお、本実施形態でも第１実施形態と同様の効果を得ることができる。
【０１２０】
第１実施形態〜第５実施形態において、供給ロール４０及び巻取ロール５０をカバー部２１に配しているが、これに替えて、本体部２０に配してもよい。
【０１２１】
第１実施形態〜第５実施形態の空気清浄機１の清掃動作において、巻取ロール５０の巻取速度と供給ロール４０への巻戻速度とは同じでも異なってもよい。例えば、巻取ロール５０の巻取速度を供給ロール４０への巻戻速度よりも小さくすると、プレフィルタ６上の塵埃を除去しながら巻戻速度を大きくして清掃動作の時間を短縮することができる。
【産業上の利用可能性】
【０１２２】
本発明は、フィルタを清掃する清掃装置を備えた空気清浄機に利用することができる。
【符号の説明】
【０１２３】
１    空気清浄機
２    筐体
３    吸込口
４、５    吹出口
６    プレフィルタ（フィルタ）
６ａ  バー材
６ｂ  通気部
６ｃ  収納部
６ｇ  図柄
７    脱臭フィルタ
８    空気通路
８ａ  第１分岐通路
８ｂ  第２分岐通路
９    集塵フィルタ
１０    送風機
１１    イオン発生装置
１２    ダンパ
１４、１５    風向板
２０    本体部
２１    カバー部
２２    押え部材
２３    磁石
３０    清掃装置
４０    供給ロール
４１    シャフト
４１ａ  芯材
４１ｄ  スリーブ
５０    巻取ロール
６０    ギアユニット
６１    傘歯車（第１交差軸歯車）
６２    傘歯車（第２交差軸歯車）
６３    平歯車（第１平行軸歯車）
６４    平歯車（第２平行軸歯車）
６５    内歯車
６６    平歯車（第３平行軸歯車）
７０    付勢部
７１    回転体（第１回転体）
７１ａ  挟持部
７２    回転体（第２回転体）
７２ａ  爪
７３    ハンドル
７４    連結部材
７５    ゼンマイ
７６    圧縮ばね
７７    ストッパ
７７ａ  ねじりコイルばね
７８、７９    ハウジング
８０    ブラシ体
８１    シャフト
８２    ブラシ毛束
９０    集塵部
９１    蓋部
９１ａ  開口部
９２    容器
９３    櫛部
１００    駆動モータ
２００    加湿部
２０１    トレイ
２０２    加湿フィルタ
３００    テープ状部材
４００    回動板
４０１    軸部
ＳＰ      スペース
【図１】
0006768071.tif 000002
【図２】
0006768071.tif 000003
【図３】
0006768071.tif 000004
【図４】
0006768071.tif 000005
【図５】
0006768071.tif 000006
【図６】
0006768071.tif 000007
【図７】
0006768071.tif 000008
【図８】
0006768071.tif 000009
【図９】
0006768071.tif 000010
【図１０】
0006768071.tif 000011
【図１１】
0006768071.tif 000012
【図１２】
0006768071.tif 000013
【図１３】
0006768071.tif 000014
【図１４】
0006768071.tif 000015